(57)【要約】【課題】軒樋内への鳥の侵入を抑制して、軒樋とその上方の軒樋カバー部材を利用した巣作りが行われることを抑制できる軒先構造を提案すること。【解決手段】本発明の軒先構造は、鼻隠し板１に並べて取り付けた複数の支持具２によって軒樋３を鼻隠し板１から離して屋根軒側先端４０の下方に支持し、軒樋３の屋外側上端部３３と屋根軒側先端４０との間に軒樋カバー部材５を配した軒先構造である。この軒先構造では、支持具２のうち軒樋３と鼻隠し板１との間の部位上に、覆い部材６を固定具７によって固定することで、横並びの支持具２間にて軒樋３と鼻隠し板１との間に形成される隙間Ｓを覆い部材６によって覆う。【選択図】図１
2014058788.tif 000002
【特許請求の範囲】
【請求項１】
鼻隠し板に並べて取り付けた複数の支持具によって、軒樋を前記鼻隠し板から離して屋根軒側先端の下方に支持し、前記軒樋の屋外側上端部と前記屋根軒側先端との間に、軒樋カバー部材を配した軒先構造であって、
前記支持具のうち前記軒樋と前記鼻隠し板との間の部位上に、覆い部材を固定具によって固定することで、横並びの前記支持具間にて前記軒樋と前記鼻隠し板との間に形成される隙間を前記覆い部材によって覆うことを特徴とする軒先構造。
【請求項２】
前記覆い部材は、網体であることを特徴とする請求項１に記載の軒先構造。
【発明の詳細な説明】
【技術分野】
【０００１】
本発明は、軒樋内への鳥の侵入を抑制するための軒先構造に関するものである。
【背景技術】
【０００２】
特許文献１には、軒樋本体内への落ち葉や雪の塊等の侵入を抑制するための軒樋カバー部材を、軒樋本体上方に配した軒樋支持構造が提案されている。
【０００３】
この軒樋支持構造では、屋根先端の下方に軒樋本体を配置するために、軒先の壁に固定した複数の支持具本体によって、軒樋本体を軒先の壁から離して支持している。
【先行技術文献】
【特許文献】
【０００４】
【特許文献１】特開２００９−９１７９８号公報
【発明の概要】
【発明が解決しようとする課題】
【０００５】
しかし、上述した軒樋支持構造のように、軒樋本体を軒先の壁から離して支持した場合、横並びの支持具本体間にて軒樋本体と軒先の壁との間に隙間が形成される。そのため、この隙間から雀等の鳥が侵入し、軒樋カバー部材を屋根に利用して軒樋本体内に巣作りを行うといった問題が発生する場合がある。
【０００６】
そこで、上記問題を鑑みて、本発明は、軒樋内への鳥の侵入を抑制して、軒樋とその上方の軒樋カバー部材とを利用した巣作りが行われることを抑制することができる軒先構造を提案することを課題とする。
【課題を解決するための手段】
【０００７】
上記課題を解決する本発明の軒先構造は、鼻隠し板に並べて取り付けた複数の支持具によって、軒樋を前記鼻隠し板から離して屋根軒側先端の下方に支持し、前記軒樋の屋外側上端部と前記屋根軒側先端との間に、軒樋カバー部材を配した軒先構造であって、前記支持具のうち前記軒樋と前記鼻隠し板との間の部位上に、覆い部材を固定具によって固定することで、横並びの前記支持具間にて前記軒樋と前記鼻隠し板との間に形成される隙間を前記覆い部材によって覆うことを特徴とする。
【０００８】
また、前記覆い部材は、網体であることが好ましい。
【発明の効果】
【０００９】
本発明の軒先構造は、鼻隠し板に取り付けた複数の支持具のうち、軒樋と鼻隠し板との間の部位上に覆い部材を固定具によって固定することで、この覆い部材によって、横並びの支持具間にて軒樋と鼻隠し板との間に形成される隙間を覆うことができる。これにより、鳥の侵入経路を覆い部材で塞いで軒樋内への鳥の侵入を抑制でき、軒樋とその上方の軒樋カバー部材とを利用した巣作りが行われることを抑制することができる。
【図面の簡単な説明】
【００１０】
【図１】本発明の実施形態の軒先構造を概略的に示す側面図である。
【図２】同上の軒先構造に用いられる覆い部材の平面図である。
【図３】同上の軒先構造に用いられる固定具の斜視図である。
【発明を実施するための形態】
【００１１】
本発明を添付図面に示す実施形態に基づいて説明する。
【００１２】
図１には、本発明の実施形態の軒先構造が示されている。本実施形態の軒先構造では、軒樋３の上方に、軒樋３内への落ち葉や積雪の塊等の侵入を抑制するための軒樋カバー部材５を配している。そして、鼻隠し板１に並べて取り付けた複数の支持具２によって、軒樋３を鼻隠し板１から離して支持し、この軒樋３を屋根４の軒側先端４０の下方に配置している。以下、鼻隠し板１に対して軒樋３が位置する側を屋外側もしくは前側といい、その反対側を屋内側もしくは後側という。また、この前後方向に直交する方向である軒樋３の長手方向を左右方向という。
【００１３】
鼻隠し板１は、左右方向に長尺な長板状である。鼻隠し板１には、その長手方向に沿って複数の支持具２が略一直線状に並べて取り付けられている。各支持具２は、隣に配置される支持具２との間に距離を空けて配置される。この複数の支持具２によって軒樋３は、その長手方向の略全長に亘って支持され、鼻隠し板１と略平行に配置される。
【００１４】
本実施形態の軒先構造では、屋根４の軒側先端４０の屋内側の近傍箇所から水切り板８を垂下させて設けている。水切り板８は、屋根４を伝って鼻隠し板１へと雨水が流れることを抑制するためのものである。水切り板８は、屋根４の軒側先端４０の長手方向（左右方向）の略全長に亘って設けられる。水切り板８の下端部は、屋内側上方に向けて折れ曲がっている。なお、水切り板８は、屋根４の軒側先端４０の長手方向の長さと略同じ長さのものであってもよいし、屋根４の軒側先端４０の長手方向に沿って、部分水切り板を複数並べて設けたものであってもよい。この部分水切り板とは、図１に示す側面形状を備え、左右方向の長さが、屋根４の軒側先端４０の長手方向の長さよりも短くなるように形成したものである。
【００１５】
軒樋３は、底壁３０と、底壁３０の屋外側の端部から上方に立ち上げた前壁３１と、底壁３０の屋内側の端部から上方に立ち上げた後壁３２とを備える。前壁３１の上端部には、屋内側に向けて突出した前耳部３４を備え、後壁３２の上端部には、屋内側に向けて突出した後耳部３５を備える。前耳部３４と後耳部３５はそれぞれ略角筒状をなしている。前耳部３４と前壁３１の上端部との間には、下方に開口した差込溝３６を備えている。また、後耳部３５の底部には、下方に開口した係止溝３７を備えている。この前壁３１の上端部と前耳部３４と差込溝３６とを含む箇所が、軒樋３の屋外側上端部３３である。
【００１６】
支持具２は、鼻隠し板１に固定される固定部２０と、固定部２０から屋外側に突出する突出部２１と、突出部２１の先端部に前後方向にスライド自在に取り付けられた支持アーム２２と、支持アーム２２を突出部２１に固定する位置固定部２３とを備える。支持具２は、支持アーム２２のスライド位置を前後に調整することによって、鼻隠し板１から屋根軒側先端４０までの前後距離に対応して、軒樋３を屋根軒側先端４０の下方に支持することができる。そして、支持具２は、位置固定部２３によって支持アーム２２を突出部２１の先端部に固定することで、支持アーム２２の前後位置、つまりは、軒樋３の支持位置が決まる。支持具２は、固定部２０がネジ等の固定手段によって鼻隠し板１に固定される。支持具２の突出部２１及び支持アーム２２の左右方向の幅は、例えば２ｃｍ程度であるが、求める強度等に応じて適宜設定可能である。
【００１７】
支持アーム２２は、前端部に軒樋３の前耳部３４を支持する前支持部２４を備える。そして、支持アーム２２は、後端部に軒樋３の後耳部３５を支持する後支持部２５を備える。前支持部２４は、軒樋３の前壁３１と前耳部３４との間の差込溝３６に下方から差し込まれて、前耳部３４を支持する。また、後支持部２５は、側面視において前後反転した略Ｌ字状をなしている。後支持部２５は、その下端部から当接部２６が下方に向けて突出している。そして、後支持部２５には、上方に突出する係止片２７が形成されている。後支持部２５によって後耳部３５を支持する際に、係止片２７が後耳部３５の底部の係止溝３７に係止され、当接部２６が後壁３２の後面に当接することで、後支持部２５は後耳部３５を安定して支持することができる。
【００１８】
支持具２の位置固定部２３には、軒樋カバー部材５を支持する保持部５０が取り付けられる。保持部５０は、その下端部が位置固定部２３によって突出部２１の先端部（前端部）に固定される。そして、保持部５０は、その上端部に軒樋カバー部材５が取り付けられる。保持部５０は、複数の支持具２全てまたはその一部に取り付けられる。なお、保持部５０の上端部は、軒樋カバー部材５を保持する形状であれば、どのような形状であってもよい。本実施形態では、保持部５０の上端部は略Ｔ字状をなし、この略Ｔ字状の上端部が嵌り込む嵌合溝５１が軒樋カバー部材５の下面に形成されている。
【００１９】
軒樋カバー部材５は、軒樋３の長手方向（左右方向）の長さと略同じ長さの長尺な板状部材で構成される。そして、軒樋カバー部材５は、左右方向に並ぶ複数の保持部５０によって支持される。なお、軒樋カバー部材５は、複数の部分カバー部材を軒樋３の長手方向に並べて配置するものであってもよい。この部分カバー部材とは、図１に示す側面形状を備え、左右方向の長さが、軒樋３の長手方向（左右方向）の長さよりも短くなるように形成したものである。この場合、複数の部分カバー部材それぞれを支持する保持部５０の数は、１つであってもよいし、２つ以上であってもよい。
【００２０】
軒樋カバー部材５は、軒樋３の長手方向（左右方向）の略全長に亘って、軒樋３の上方を覆う。そして、軒樋カバー部材５は、屋根軒側先端４０と軒樋３の屋外側上端部３３との間に、僅かな水落下用の隙間を介して配置される。これにより、軒樋カバー部材５と屋根軒側先端４０との間には、屋根４を伝って流れる雨水を軒樋３内へと流れ落とすための小さな隙間が形成される。そして、軒樋カバー部材５と軒樋３の屋外側上端部３３との間には、軒樋カバー部材５を伝って流れる雨水を軒樋３内へと流れ落とすための小さな隙間が形成される。
【００２１】
本実施形態では、軒樋カバー部材５を、屋根軒側先端４０と軒樋３の屋外側上端部３３とを結ぶ線に沿うように傾斜させて配置している。なお、軒樋カバー部材５は、軒樋３内への落ち葉や積雪の塊や鳥等の侵入を抑制できるように配置されればよく、上述の設置方法に限定されない。
【００２２】
以上説明した本実施形態の軒先構造では、軒樋３を支持具２によって鼻隠し板１から離して支持することによって、左右方向に横並びの支持具２間にて、軒樋３と鼻隠し板１との間に隙間Ｓが形成される。そして、軒樋３の上方に軒樋カバー部材５を軒樋３から離して配置することによって、軒樋３は、雨が直接降り込みにくい環境となる。そのため、軒樋３は、隙間Ｓから侵入した雀等の鳥が巣作りしやすい環境となる。
【００２３】
隙間Ｓを介して軒樋３内に鳥が侵入することを抑制するために、本実施形態の軒先構造はさらに、隙間Ｓを塞ぐ覆い部材６を備えている。覆い部材６は、固定具７によって支持具２に取り付けられる。
【００２４】
覆い部材６は、軒樋３の長手方向に長尺なシート部材である。覆い部材６としては、図２に示すように、鳥よりもサイズの小さい網目６０を多数備えた網体であることが好ましい。このように覆い部材６を網体とすることで、覆い部材６は隙間Ｓに流れ込む風によって設置位置から外れにくいものとなる。なお、この網体からなる覆い部材６としては、市販されている金網や樹脂製のネット等を使用することができる。
【００２５】
また、覆い部材６は、網目を有さないシート部材であってもよい。その場合、覆い部材６は、隙間Ｓに流れ込む風によって設置位置から外れないように、例えば固定具７による支持具２への固定強度を強くすればよい。
【００２６】
覆い部材６は、軒樋３の長手方向の長さと略同じ長さのものであってもよいし、複数の部分覆い部材を軒樋３の長手方向に並べて配置したものであってもよい。この部分覆い部材とは、軒樋３の長手方向に長尺なシート部材であり、左右方向の長さが、軒樋３の長手方向の長さよりも短くなるように形成したものである。部分覆い部材が金網で形成される場合、左右方向の長さは特に限定されない。部分覆い部材が樹脂製のネットで形成される場合、左右方向の長さは、跨る複数の支持具２のうち両端に位置する支持具２間の距離以上である。
【００２７】
固定具７としては、例えば図３に示す、下向き略Ｕ字状部材が用いられる。固定具７は、支持具２の突出部２１の上面２１０に下面が当接する当接部７０と、側面視において当接部７０の左右両端部からそれぞれ下方に向けて突出した保持部７１と、各保持部７１の下端部から内側に向けて突出した抜け防止用の係止片７２とを備える。固定具７は、支持具２に覆い部材６を固定した状態で、当接部７０の下面が覆い部材６に当接し、この覆い部材６が突出部２１の上面２１０に当接する。そして、固定具７は、左右一対の両保持部７１で支持具２の突出部２１を左右から挟み、左右一対の係止片７２が突出部２１の下面に当接することで抜け止めがなされる。なお、このとき左右一対の係止片７２は突出部２１の下面との間に僅かな隙間を介して位置するものであってもよく、固定具７が上方に外れることを抑制するものであればよい。なお、上述した固定具７は、覆い部材６を支持具２に固定可能なものであれば、図３に示す形状のものでなくてもよい。
【００２８】
固定具７は、支持具２のうち軒樋３と鼻隠し板１との間の部位に、覆い部材６の一部を固定する。固定具７は、左右方向に並ぶ全ての支持具２に覆い部材６を固定することが好ましいが、一部の支持具２にだけ覆い部材６を取り付けるようにしてもかまわない。複数の固定具７によって、覆い部材６は、左右方向に並ぶ複数の支持具２に跨って取り付けられる。
【００２９】
覆い部材６は、図１に示すように、支持具２の突出部２１の上面２１０のうち、鼻隠し板１の近傍から軒樋３の後壁３２よりも屋外側の部分に亘って取り付けられる。なお、覆い部材６は、鼻隠し板１に接触するように取り付けてもよい。
【００３０】
以上のように隙間Ｓ上に覆い部材６を取り付けることによって、本実施形態の軒先構造では、隙間Ｓから軒樋３内へと至る鳥の侵入経路を覆い部材６によって塞いで、隙間Ｓから軒樋３内に鳥が侵入することを抑制できる。これにより、覆い部材６は、軒樋３内への鳥の侵入を抑制して、軒樋３とその上方の軒樋カバー部材５とを利用した巣作りが行われることを抑制することができる。
【００３１】
また、覆い部材６を支持具２の突出部２１の上面２１０のうち軒樋３から鼻隠し板１までの部位上に載せて固定することで、この部位上で巣作りが行われることも抑制できる。
【００３２】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００３３】
１      鼻隠し板
２      支持具
３      軒樋
５      軒樋カバー部材
６      覆い部材
７      固定具
３３    屋外側上端部
４０    屋根軒側先端
Ｓ      隙間
【図１】
2014058788.tif 000003
【図２】
2014058788.tif 000004
【図３】
2014058788.tif 000005